(57)【要約】【課題】  画像形成装置等の電気装置において、筐体に設けられた開口部を通じて液体が筐体内に侵入することを抑制する。【解決手段】  ルーバ１１の下面側に下方側に突出した下壁部１１Ａを設ける。これにより、ルーバ１１に向けて飛散した液体は、ルーバ１１の表面を伝ってルーバ１１の下面側に流れるものの、下壁部１１Ａは、ルーバ１１の下面側に流れてきた液体を堰き止める堰として機能する。したがって、開口部８Ａを通じて液体が筐体８内に侵入することを抑制できる。【選択図】図５
2015069029.tif 000002
【特許請求の範囲】
【請求項１】
電気部品を収納するとともに、内外を連通させる開口部が側面に設けられた筐体と、
前記開口部を横断して水平方向に延びるルーバと、
前記ルーバの下面側に設けられ、下方側に突出した下壁部と
を備えることを特徴とする電気装置。
【請求項２】
前記ルーバの上面側に設けられ、上方側に突出した上壁部を備えることを特徴とする請求項１に記載の電気装置。
【請求項３】
複数の前記ルーバが上下方向に並んで設けられ、隣り合う前記ルーバのうち下側のルーバを下ルーバとし、上側のルーバを上ルーバとしたとき、
前記下ルーバの前記上壁部は、前記上ルーバの前記下壁部の直下、又は当該下壁部の直下より内方側にずれた位置に設けられていることを特徴とする請求項２に記載の電気装置。
【請求項４】
前記下壁部の壁面と仮想水平面とのなす角は、９０度以下であることを特徴とする請求項１ないし３のいずれか１項に記載の電気装置。
【請求項５】
前記下壁部は、前記ルーバの長手方向全域に渡って連続して延びていることを特徴とする請求項１ないし４のいずれか１項に記載の電気装置。
【請求項６】
シートに画像を形成する画像形成部と、
前記画像形成部を収納するとともに、内外を連通させる開口部が側面に設けられた筐体と、
前記開口部を横断して水平方向に延びるルーバと、
前記ルーバの下面側に設けられ、下方側に突出した下壁部と
を備えることを特徴とする画像形成装置。
【発明の詳細な説明】
【技術分野】
【０００１】
本発明は、画像形成部等の電気部品が収納された電気装置等に関する。
【背景技術】
【０００２】
例えば、特許文献１に記載の画像形成装置では、筐体内の熱気を排出する排気口を鎧窓状としている。鎧窓とは、開口部を横断して水平方向に延びる複数のルーバを設けた窓である。
【先行技術文献】
【特許文献】
【０００３】
【特許文献１】特開２０１０−２０４１８３号公報
【発明の概要】
【発明が解決しようとする課題】
【０００４】
排気口は、筐体を貫通して内外を連通させる開口部であるので、開口部を通じて水等の液体が筐体内に侵入するおそれがある。
本発明は、上記点に鑑み、開口部を通じて液体が筐体内に侵入することを抑制することを目的とする。
【課題を解決するための手段】
【０００５】
本発明は、上記目的を達成するために、電気部品を収納するとともに、内外を連通させる開口部（８Ａ）が側面に設けられた筐体（８）と、開口部（８Ａ）を横断して水平方向に延びるルーバ（１１）と、ルーバ（１１）の下面側に設けられ、下方側に突出した下壁部（１１Ａ）とを備えることを特徴とする。
【０００６】
これにより、本発明では、液体はルーバ（１１）の表面を伝ってルーバ（１１）の下面側に流れる。このとき、下壁部（１１Ａ）は、ルーバ（１１）の下面側に流れてきた液体を堰き止める堰として機能する。したがって、開口部（８Ａ）を通じて液体が筐体（８）内に侵入することを抑制できる。
【０００７】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００８】
【図１】本発明の実施形態に係る画像形成装置１の外観斜視図である。
【図２】本発明の実施形態に係る画像形成装置１の側面図である。
【図３】軸流ファン９及び貫通口８Ａの断面図である。
【図４】貫通口８Ａの外側正面図である。
【図５】上ルーバ１１及び下ルーバ１１の拡大図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
本実施形態は、プリンタ等の画像形成装置に本発明を適用したものである。各図に付された方向を示す矢印等は、各図相互の関係を理解し易くするために記載したものである。本発明は、各図に付された方向に限定されるものではない。
【００１１】
少なくとも符号を付して説明した部材又は部位は、「複数」や「２つ以上」等の断りをした場合を除き、少なくとも１つ設けられている。以下、本発明の実施形態を図面と共に説明する。
【００１２】
（第１実施形態）
１．画像形成装置の構成
本実施形態に係る画像形成装置１は、図１に示すように、スキャナ部３及びプリンタ部５を備える。スキャナ部３は原稿等のシートに記載された内容を読み取る。プリンタ部５はシートに画像を形成する画像形成部５Ａを有する。
【００１３】
スキャナ部３はプリンタ部５の上方側に配設されている。スキャナ部３とプリンタ部５との間、つまりプリンタ部５の上面側には、画像形成が終了したシートが排出される排出部５Ｂが設けられている。なお、本実施形態に係る画像形成部５Ａは電子写真方式である。
【００１４】
電子写真方式の画像形成部５Ａは、露光器、現像ローラ、感光ドラム、転写ローラ及び定着器等の電気部品を有している。露光器は感光ドラムを露光して感光ドラムに静電潜像を形成する。現像ローラは感光ドラムに現像剤を供給して感光ドラムに現像剤像を担持させる。転写ローラはシートに現像剤像を転写させる。定着器は現像剤を加熱してシートに現像剤像を定着させる。
【００１５】
定着器等の画像形成部５Ａを構成する電気部品は、図２に示すように、メインフレーム７に保持されている。メインフレーム７は、略板状に構成された強度部材であって、画像形成部５Ａを挟んで水平方向両側（本実施形態では、左右両側）に配設されている。
【００１６】
一対のメインフレーム７及び画像形成部５Ａは筐体８内に収納されている。筐体８は一対のメインフレーム７の外側を覆って外観意匠面を構成する。筐体８の側面（本実施形態では、右側面）には、開口部８Ａが設けられている。開口部８Ａは、当該筐体８を貫通してプリンタ部５の内側と外側とを連通させる。
【００１７】
メインフレーム７のうち開口部８Ａに面する部位には、図３に示すように、軸流ファン９が設けられている。軸流ファン９は、開口部８Ａを通して筐体８を貫通する気流を発生させる。なお、本実施形態では、気流は内側から外側に向かって流通する。
【００１８】
軸流ファン９とは、空気が回転軸方向を通り抜けるファン（ＪＩＳ  Ｂ  ０１３２番号１０１２等参照）である。ファンモータ９Ａは軸流ファン９を回転させる。軸流ファン９の外縁側は取付フレーム９Ｂにより覆われている。ファンモータ９Ａは、放射状に延びるスポーク（図示せず。）を介してファンモータ９Ａに組み付けられている。
【００１９】
なお、本実施形態では、軸流ファン９、ファンモータ９Ａ及び取付フレーム９Ｂ等は一体化されて１つの部品（ユニット部品）として取り扱われる。以下、特段の断りをした場合を除き、当該ユニット部品を軸流ファン９と呼ぶ。
【００２０】
軸流ファン９から離間した位置であって開口部８Ａ側には、複数のルーバ１１が設けられている。これらルーバ１１は、図４に示すように、開口部８Ａを横断して略水平方向に延びる帯板状の部材であって、鉛直方向に並んで配列されている。このため、開口部８Ａは鎧窓状の開口部となる。
【００２１】
各ルーバ１１には、図５に示すように、下壁部１１Ａ及び上壁部１１Ｂが設けられている。下壁部１１Ａは、ルーバ１１の下面側に設けられて下方側に突出した段差状の壁面である。上壁部１１Ｂは、ルーバ１１の上面側に設けられて上方側に突出した段差状の壁面である。なお、下壁部１１Ａの段差寸法Ｔ１及び上壁部１１Ｂの段差寸法Ｔ２は、０．１ｍｍ以上、０．３ｍｍ以下である。
【００２２】
下壁部１１Ａの壁面と仮想水平面Ｓとのなす角θ１は９０度以下（本実施形態では、９０度）である。上壁部１１Ｂの壁面と仮想水平面Ｓとのなす角θ２は９０度以下（本実施形態では、９０度）である。
【００２３】
そして、下壁部１１Ａ及び上壁部１１Ｂは、図４に示すように、ルーバ１１の長手方向全域に渡って連続して延びている。なお、本実施形態では、複数のルーバ１１（下壁部１１Ａ及び上壁部１１Ｂを含む。）と筐体８の側面とは樹脂にて一体成形されている。
【００２４】
ところで、隣り合うルーバ１１のうち下側のルーバを下ルーバ１１とし、上側のルーバを上ルーバ１１としたとき、図５に示すように、下ルーバ１１の上壁部１１Ｂは、上ルーバ１１の下壁部１１Ａの直下に設けられている。
【００２５】
なお、下ルーバ１１の上壁部１１Ｂが上ルーバ１１の下壁部１１Ａの直下に位置しているとは、当該下壁部１１Ａの下端を通る仮想の鉛直線Ｌ１が、当該上壁部１１Ｂの上端を通るこという。
【００２６】
２．本実施形態に係る画像形成装置の特徴
ルーバ１１に向けて飛散した液体は、ルーバ１１の表面を伝ってルーバ１１の下面側に流れる。このとき、下壁部１１Ａは、ルーバ１１の下面側に流れてきた液体を堰き止める堰として機能する。したがって、開口部８Ａを通じて液体が筐体８内に侵入することを抑制できる。
【００２７】
本実施形態では、ルーバ１１の上面側に上方側に突出した上壁部１１Ｂを備えることを特徴とするので、開口部８Ａを通じて液体が筐体８内に侵入することを確実に抑制できる。
【００２８】
本実施形態では、下ルーバ１１の上壁部１１Ｂは、上ルーバ１１の下壁部１１Ａの直下に設けられていることを特徴としている。
これにより、図３に示すように、上ルーバ１１の下壁部１１Ａで堰き止められて下ルーバ１１に落下した液滴を下ルーバ１１の上壁部１１Ｂにて確実に堰き止めることが可能となる。したがって、開口部８Ａを通じて液体が筐体８内に侵入することを確実に抑制できる。
【００２９】
（その他の実施形態）
上述の実施形態では、下ルーバ１１の上壁部１１Ｂは、上ルーバ１１の下壁部１１Ａの直下に位置していたが、本発明はこれに限定されるものではなく、例えば、下ルーバ１１の上壁部１１Ｂが、上ルーバ１１の下壁部１１Ａの直下より内方側にずれた位置に設けられていてもよい。
【００３０】
なお、下ルーバ１１の上壁部１１Ｂが上ルーバ１１の下壁部１１Ａの直下より内方側にずれた位置に設けられているとは、当該下壁部１１Ａの下端を通る仮想の鉛直線Ｌ１より、内側に当該上壁部１１Ｂの上端が位置することをいう。
【００３１】
上述の実施形態では、上壁部１１Ｂを設けたが、本発明はこれに限定されるものではなく、少なくとも下壁部１１Ａがあれば十分である。
上述の実施形態では、下壁部１１Ａの壁面と仮想水平面Ｓとのなす角θ１、及び上壁部１１Ｂの壁面と仮想水平面Ｓとのなす角θ２を９０度としたが、本発明はこれに限定されるものではなく、角θ１角度を９０度未満、例えば４５度としてもよい。これにより、下壁部１１Ａの壁面に届いた液滴は確実に下壁部１１Ａで堰き止められる。
【００３２】
また、角θ２の角度を９０度より大きく、例えば１３５度以下となる角度としてもよい。これにより、上ルーバ１１の下壁部１１Ａで堰き止められて下ルーバ１１に落下した液滴を下ルーバ１１の上壁部１１Ｂにて確実に受け止めて堰き止めることが可能となる。
【００３３】
上述の実施形態では、画像形成装置１に本発明に係る電気装置を適用したが、本発明の適用はこれに限定されるものではなく、画像読取装置やインクジェット式の画像形成装置等のその他の電気装置にも適用できる。
【００３４】
また、本発明は、特許請求の範囲に記載された発明の趣旨に合致するものであればよく、上述の実施形態に限定されるものではない。
【符号の説明】
【００３５】
１… 画像形成装置  ３… スキャナ部  ５… プリンタ部  ５Ａ… 画像形成部
５Ｂ… 排出部  ７… メインフレーム  ８… 筐体  ８Ａ… 開口部
９… 軸流ファン  ９Ａ… ファンモータ  ９Ｂ… 取付フレーム  １１… ルーバ
１１Ａ… 下壁部  １１Ｂ… 上壁部
【図１】
2015069029.tif 000003
【図２】
2015069029.tif 000004
【図３】
2015069029.tif 000005
【図４】
2015069029.tif 000006
【図５】
2015069029.tif 000007